(57)【要約】      （修正有）【課題】宇宙から見た昼の地球と夜の地球とを切り替えて表示することができ、インテリアとしても利用できる地球儀を提供する。【解決手段】光を透過する素材で形成された球体殻１４の内部に発光体１６を備えると共に、球体殻１４の表面に貼付された第１の印刷フィルムと、地球の衛星写真に基づく地球画像が印刷され、第１の印刷フィルムの表面に貼付された第２の印刷フィルムとを備える。第２の印刷フィルムには、昼の地球儀画像が印刷され、第１の印刷フィルムには、第２の印刷フィルムの地球儀画像と重なるように位置合わせされた夜の地球儀画像に基づいて、夜間に宇宙から明るく見える光の集中部には光を通す透光部を設け、他の部分には光を通さない遮光部を設けている。発光体１６の消灯時には、宇宙から見た昼の地球を表示し、発光体１６の点灯時には、夜の地球を表示することができる。【選択図】図２
0003186463.tif 000002
【実用新案登録請求の範囲】
【請求項１】
光を透過する素材で形成され、内部が中空の球体殻を備えた地球儀であって、
前記球体殻の内部に設けられた発光体と、前記球体殻の表面に貼付され、地球の衛星写真に基づく地球儀画像が印刷された第１の印刷フィルムと第２の印刷フィルムとを備え、
前記第１の印刷フィルムには、昼の地球儀画像が印刷され、
前記第２の印刷フィルムには、前記第１の印刷フィルムの地球儀画像と位置合わせされた夜の地球儀画像に基づいて、明るく見える部分には光を透過する透光部を、前記透光部以外には光を遮る遮光部を設け、
前記第１の印刷フィルムが前記第２の印刷フィルムの外側に貼付されていることを特徴とする地球儀。
【請求項２】
光を透過する素材で形成され、内部が中空の球体殻を備えた地球儀であって、
前記球体殻の内部に設けられた発光体と、前記球体殻の表面に貼付され、地球の衛星写真に基づく地球が画像が印刷された第１の印刷フィルムと第２の印刷フィルムとを備え、
前記第１の印刷フィルムには、昼の地球儀画像が印刷され、
前記第２の印刷フィルムには、前記第１の印刷フィルムの地球儀画像と位置合わせされた夜の地球儀画像に基づいて、明るく見える部分には光を透過する透光部を、陸地部分には光の光量を低減させて透過する半透光部を、海洋部分には光を遮る遮光部を設け、
前記第１の印刷フィルムが前記第２の印刷フィルムの外側に貼付されていることを特徴とする地球儀。
【請求項３】
光を透過する素材で形成され、内部が中空の球体殻を備えた地球儀であって、
前記球体殻の内部に設けられた発光体と、前記球体殻の表面に貼付され、地球の衛星写真に基づく地球儀画像が印刷された印刷フィルムとを備え、
前記印刷フィルムは、外側となる表面と前記球体殻に接する裏面の両面に印刷が施され、
前記表面には、昼の地球儀画像が印刷され、
前記裏面には、前記表面の地球儀画像と位置合わせされ、裏返された夜の地球儀画像に基づいて、明るく見える部分には光を透過する透光部を、前記透光部以外には光を遮る遮光部を設けたことを特徴とする地球儀。
【請求項４】
光を透過する素材で形成され、内部が中空の球体殻を備えた地球儀であって、
前記球体殻の内部に設けられた発光体と、前記球体殻の表面に貼付され、地球の衛星写真に基づく地球が画像が印刷された印刷フィルムとを備え、
前記印刷フィルムは、外側となる表面と前記球体殻に接する裏面の両面に印刷が施され、
前記表面には、昼の地球儀画像が印刷され、
前記裏面には、前記表面の地球儀画像と位置合わせされ、裏返された夜の地球儀画像に基づいて、明るく見える部分には光を透過する透光部を、陸地部分には光の光量を低減させて透過する半透光部を、海洋部分には光を遮る遮光部を設けたことを特徴とする地球儀。
【請求項５】
昼の地球儀画像は、雲の画像が除去されていることを特徴とする請求項１乃至４のいずれか記載の地球儀。
【請求項６】
昼の地球儀画像は、地球表面で散乱／反射された光の波長に基づいて着色されていることを特徴とする請求項１乃至５のいずれか記載の地球儀。
【請求項７】
昼の地球儀画像は、山岳地帯は標高に応じて、海洋部分は深さに応じて異なる階調で着色されていることを特徴とする請求項１乃至６のいずれか記載の地球儀。
【請求項８】
昼の地球儀画像上には、国境線及び国名が記載されていることを特徴とする請求項１乃至７のいずれか記載の地球儀。
【請求項９】
昼の地球儀画像上には、宇宙や天文に関する施設の位置及び名称が記載されていることを特徴とする請求項１乃至８のいずれか記載の地球儀。
【考案の詳細な説明】
【技術分野】
【０００１】
本考案は、地球儀に係り、特に宇宙から見た昼の地球と夜の地球とを切り替えて表示することができ、昼と夜の２種類の異なる地球の表情が楽しめ、インテリアとしても利用できる地球儀に関する。
【背景技術】
【０００２】
［先行技術の説明］
従来、地球に見立てた球面上に、陸地や海洋、山、川、砂漠等の名称、国名、都市名等を印刷等により記載した地球儀があった。
このような地球儀は、主として学習用として用いられている。
【０００３】
また、従来、中空の球体内部にランプを設け、ランプのオン／オフによって球体表面に表示される（見える）情報を変えたものがあった。例えば、ランプの消灯時には地形のみが表示され、ランプの点灯時には国境線や国名が表示されるものがあった。
【０００４】
［関連技術］
尚、地球儀に関する技術としては、特公平０６−０５４４１０号公報「地球儀」（株式会社マヒナ、特許文献１）、実公平０５−０００９２２号公報「地球儀」（松岡雅夫、特許文献２）、特開平０７−１４０８９４号公報「地球儀」（大平技研工業株式会社、特許文献３）、特公平０６−９７３７５号公報「地球儀」（株式会社マヒナ、特許文献４）、実開平０２−１１９２８７号公報「地球儀」（株式会社マヒナ、特許文献５）、実用新案登録第３０８８９２８号公報「三球儀」（特許文献６）、実開昭６３−１８７１７６号公報「地理学習用教材」（元橋豊秀、特許文献７）、特開平０６−２５８６２５号公報「液晶表示装置」（シャープ株式会社、特許文献８）がある。
【０００５】
特許文献１には、中空の球体内部にランプを設け、ランプの消灯時には地形や海洋が表示され、ランプの点灯時には地形等の裏側に記載されている国境線や国名が表示される地球儀が記載されている。
また、特許文献２及び特許文献３には、内部から球面の半面を照らすと共に上下に移動可能なランプを設け、地球上の昼夜や四季の変化を認識しやすくする地球儀が記載されている。
【０００６】
特許文献４には、中空半球状の殻体の周縁部を接合して球体を形成し、内部にランプを設けたもので、接合部の印刷面が重ならないようにして点灯時に暗い部分ができるのを防ぐ地球儀が記載されている。
特許文献５には、内部にランプを設け、地図が印刷された印刷層の外側に、ランプ消灯時には表示を禁止する遮蔽塗膜を設けた地球儀が記載されている。
【０００７】
特許文献６には、地球儀、月球儀、天球儀を備えた三球儀が記載されている。
特許文献７には、地球儀上で、電極のついたピースや接触子を正しい位置に挿入するとランプが点灯することで、ゲーム感覚で国名や首都名及びその位置を学習することができる学習用教材が記載されている。
特許文献８には、球状に湾曲した液晶表示パネルにＸ−Ｙマトリクス状の電極を設け、電極を適宜選択することにより、例えば、地球儀としての表示から天球儀としての表示に切り替えることができる液晶表示装置が記載されている。
【先行技術文献】
【特許文献】
【０００８】
【特許文献１】特公平０６−０５４４１０号公報
【特許文献２】実公平０５−０００９２２号公報
【特許文献３】特開平０７−１４０８９４号公報
【特許文献４】特公平０６−９７３７５号公報
【特許文献５】実開平０２−１１９２８７号公報
【特許文献６】実用新案登録第３０８８９２８号公報
【特許文献７】実開昭６３−１８７１７６号公報
【特許文献８】特開平０６−２５８６２５号公報
【考案の概要】
【考案が解決しようとする課題】
【０００９】
しかしながら、従来の地球儀は、学習用又は実用としての観点から作られているものが多く、宇宙から見た昼の地球と夜の地球とを切り替えて表示できるものはなく、見る人が本当に宇宙から地球を見ているような感じが得られるものではないという問題点があった。
【００１０】
本考案は、上記実状に鑑みて為されたもので、宇宙から見た昼の地球と夜の地球とを切り替えて表示することができ、昼と夜の２種類の異なる地球の表情を楽しむことができ、インテリアとしても利用可能な地球儀を提供することを目的とする。
【課題を解決するための手段】
【００１１】
上記従来例の問題点を解決するための本考案は、光を透過する素材で形成され、内部が中空の球体殻を備えた地球儀であって、球体殻の内部に設けられた発光体と、球体殻の表面に貼付される第１の印刷フィルムと、地球の衛星写真に基づく地球儀画像が印刷され、第１の印刷フィルムの表面に貼付される第２の印刷フィルムとを備え、第２の印刷フィルムには、昼の地球儀画像が印刷され、第１の印刷フィルムには、第２の印刷フィルムの地球儀画像と位置合わせされた夜の地球儀画像に基づいて、明るく見える部分には光を透過する透光部を、透光部以外には光を遮る遮光部を設けたことを特徴としている。
【００１２】
また、上記従来例の問題点を解決するための本考案は、光を透過する素材で形成され、内部が中空の球体殻を備えた地球儀であって、球体殻の内部に設けられた発光体と、球体殻の表面に貼付される第１の印刷フィルムと、地球の衛星写真に基づく地球画像が印刷され、第１の印刷フィルムの表面に貼付される第２の印刷フィルムとを備え、第２の印刷フィルムには、昼の地球儀画像が印刷され、第１の印刷フィルムには、前記第２の印刷フィルムの地球儀画像と位置合わせされた夜の地球儀画像に基づいて、明るく見える部分には光を透過する透光部を、陸地部分には光の光量を低減させて透過する半透光部を、海洋部分には光を遮る遮光部を設けたことを特徴としている。
【００１３】
また、上記従来例の問題点を解決するための本考案は、光を透過する素材で形成され、内部が中空の球体殻を備えた地球儀であって、球体殻の内部に設けられた発光体と、球体殻の表面に貼付され、地球の衛星写真に基づく地球儀画像が印刷された印刷フィルムとを備え、印刷フィルムは、外側となる表面と球体殻に接する裏面の両面に印刷が施され、表面には、昼の地球儀画像が印刷され、裏面には、表面の地球儀画像と位置合わせされ、裏返された夜の地球儀画像に基づいて、明るく見える部分には光を透過する透光部を、透光部以外には光を遮る遮光部を設けたことを特徴としている。
【００１４】
また、上記従来例の問題点を解決するための本考案は、光を透過する素材で形成され、内部が中空の球体殻を備えた地球儀であって、球体殻の内部に設けられた発光体と、球体殻の表面に貼付され、地球の衛星写真に基づく地球儀画像が印刷された印刷フィルムとを備え、印刷フィルムは、外側となる表面と球体殻に接する裏面の両面に印刷が施され、表面には、昼の地球儀画像が印刷され、裏面には、表面の衛星写真と位置合わせされ、裏返された夜の地球儀画像に基づいて、明るく見える部分には光を透過する透光部を、陸地部分には光の光量を低減させて透過する半透光部を、海洋部分には光を遮る遮光部を設けたことを特徴としている。
【００１５】
また、本考案は、上記地球儀において、昼の地球儀画像は、雲の画像が除去されていることを特徴としている。
【００１６】
また、本考案は、上記地球儀において、昼の地球儀画像は、地球表面で散乱／反射された光の波長に基づいて着色されていることを特徴としている。
【００１７】
また、本考案は、上記地球儀において、昼の地球儀画像は、山岳地帯は標高に応じて、海洋部分は深さに応じて異なる階調で着色されていることを特徴としている。
【００１８】
また、本考案は、上記地球儀において、昼の地球儀画像上には、国境線及び国名が記載されていることを特徴としている。
【００１９】
また、本考案は、上記地球儀において、昼の地球儀画像上には、宇宙や天文に関する施設の位置及び名称が記載されていることを特徴としている。
【考案の効果】
【００２０】
本考案によれば、光を透過する素材で形成され、内部が中空の球体殻を備えた地球儀であって、球体殻の内部に設けられた発光体と、球体殻の表面に貼付される第１の印刷フィルムと、地球の衛星写真に基づく地球儀画像が印刷され、第１の印刷フィルムの表面に貼付される第２の印刷フィルムとを備え、第２の印刷フィルムには、昼の地球儀画像が印刷され、第１の印刷フィルムには、第２の印刷フィルムの地球儀画像と位置合わせされた夜の地球儀画像に基づいて、明るく見える部分には光を透過する透光部を、透光部以外には光を遮る遮光部を設けた地球儀としているので、発光体の消灯時には、宇宙から見た昼の地球の様子が表示され、点灯時には、真っ暗な地球に都市部等の人工的な光が集中しているところのみが光って表示され、発光体のオン／オフに応じて昼と夜の２種類の異なる地球の表情が楽しめ、インテリアとしても利用することができ、低コストで実現できる効果がある。
【００２１】
また、本考案によれば、光を透過する素材で形成され、内部が中空の球体殻を備えた地球儀であって、球体殻の内部に設けられた発光体と、球体殻の表面に貼付される第１の印刷フィルムと、地球の衛星写真に基づく地球画像が印刷され、第１の印刷フィルムの表面に貼付される第２の印刷フィルムとを備え、第２の印刷フィルムには、昼の地球儀画像が印刷され、第１の印刷フィルムには、前記第２の印刷フィルムの地球儀画像と位置合わせされた夜の地球儀画像に基づいて、明るく見える部分には光を透過する透光部を、陸地部分には光の光量を低減させて透過する半透光部を、海洋部分には光を遮る遮光部を設けた地球儀としているので、発光体の消灯時には、宇宙から見た昼の地球の様子を表示し、点灯時には、海洋部分は暗く、陸地部分は薄暗く、都市部等の人工的な光が集中しているところは光って表示させて、発光体のオン／オフに応じて昼と夜の２種類の異なる地球の表情が楽しめ、インテリアとしても利用することができる効果がある。
【００２２】
本考案によれば、光を透過する素材で形成され、内部が中空の球体殻を備えた地球儀であって、球体殻の内部に設けられた発光体と、球体殻の表面に貼付され、地球の衛星写真に基づく地球儀画像が印刷された印刷フィルムとを備え、印刷フィルムは、外側となる表面と球体殻に接する裏面の両面に印刷が施され、表面には、昼の地球儀画像が印刷され、裏面には、表面の地球儀画像と重なるように位置合わせされ、裏返された夜の地球儀画像に基づいて、明るく見える部分には光を透過する透光部を、透光部以外には光を遮る遮光部を設けた地球儀としているので、発光体の消灯時には、宇宙から見た昼の地球の様子が表示され、点灯時には、真っ暗な地球に都市部等の人工的な光が集中しているところのみが光って表示され、発光体のオン／オフに応じて昼と夜の２種類の異なる地球の表情が楽しめ、インテリアとしても利用することができ、低コストで実現できる効果がある。
【００２３】
本考案によれば、光を透過する素材で形成され、内部が中空の球体殻を備えた地球儀であって、球体殻の内部に設けられた発光体と、球体殻の表面に貼付され、地球の衛星写真に基づく地球儀画像が印刷された印刷フィルムとを備え、印刷フィルムは、外側となる表面と球体殻に接する裏面の両面に印刷が施され、表面には、昼の地球地球儀画像が印刷され、裏面には、表面の地球儀画像と重なるように位置合わせされ、裏返された夜の地球儀画像に基づいて、明るく見える部分には光を透過する透光部を、陸地部分には光の光量を低減させて透過する半透光部を、海洋部分には光を遮る遮光部を設けた地球儀としているので、発光体の消灯時には、宇宙から見た昼の地球の様子を表示し、点灯時には、海洋部分は暗く、陸地部分は薄暗く、都市部等の人工的な光が集中しているところは光って表示させて、発光体のオン／オフに応じて昼と夜の２種類の異なる地球の表情が楽しめ、インテリアとしても利用することができる効果がある。
【００２４】
また、本考案は、昼の地球儀画像は、雲の画像が除去されている上記地球儀としているので、雲によって隠れてしまう部分をなくし、宇宙から見た地球全体を表示できる効果がある。
【００２５】
また、本考案は、昼の地球儀画像上には、宇宙や天文に関する施設の位置及び名称が記載されている上記地球儀としているので、宇宙や天文に対して興味を持たせることができる効果がある。
【図面の簡単な説明】
【００２６】
【図１】本考案の実施の形態に係る地球儀の外観図である。
【図２】本地球儀の内部構成を示す断面説明図である。
【図３】発光体１６の消灯時における表示例を示す説明図である。
【図４】透過率を３段階とした場合の印刷フィルム１５の裏面の構成を示す説明図である。
【図５】光の透過率を３段階とした場合の発光体１６の点灯時における表示例を示す説明図である。
【考案を実施するための形態】
【００２７】
本考案の実施の形態について図面を参照しながら説明する。
［実施の形態の概要］
本考案の実施の形態に係る地球儀は、光を透過する素材で形成された中空の球体内部にライト等の発光体を備え、球体表面に地球の衛星写真に基づく地球儀画像が印刷された第１と第２のフィルムが貼付され、第１のフィルムには昼の画像が印刷され、第２のフィルムには、第１のフィルムの画像と位置合わせされた夜の画像に基づいて、都市部等の夜間でも明るく見える部分に透光性の部分（透光部）を設けて当該透光部から発光体の光を透過させ、他の部分は遮光性とする印刷を施し、第１のフィルムを第２のフィルムの外側に貼付したものであり、発光体の消灯時には表面に印刷された昼の地球が表示され、発光体の点灯時には暗い地球に都市部のみが明るく光って見えるようにして、発光体のオン／オフに応じて昼と夜の地球を表示して、異なる表情を楽しむことができ、更に低コストで実現できるものである。
【００２８】
また、本考案の実施の形態に係る地球儀は、第２のフィルムは、第１のフィルムの画像と位置合わせされた夜の画像に基づいて、海洋に相当する部分は遮光性、陸地に相当する部分は半透光性、更に、都市部等の明るく見える部分は透光性とする印刷を施し、発光体の点灯時には暗い海洋に陸地が薄く浮かんで見え、更に都市部等は明るく光って見えるようにして、発光体のオン／オフに応じて宇宙から見た昼と夜の地球を表示して、その異なる表情を楽しむことができるものである。
【００２９】
また、本考案の実施の形態に係る地球儀は、地球儀画像が印刷されたフィルムを１枚として、当該フィルムの表面には昼の画像が印刷され、裏面は、表の画像と位置合わせされた裏返しの夜の画像に基づいて、都市部等の夜間でも明るく見える部分に透光部を設け、他の部分は遮光性とする印刷を施したものとしており、発光体のオン／オフに応じて昼と夜の地球を表示でき、更に低コストで実現できるものである。
【００３０】
また、本考案の実施の形態に係る地球儀は、１枚のフィルムの裏面は、表の画像と位置合わせされた裏返しの夜の画像に基づいて、海洋に相当する部分は遮光性、陸地に相当する部分は半透光性、更に、都市部等の明るく見える部分は透光性とする印刷を施し、発光体の点灯時には暗い海洋に陸地が薄く浮かんで見え、更に都市部等は明るく光って見えるようにして、発光体のオン／オフに応じて宇宙から見た昼と夜の地球を表示して、その異なる表情を楽しむことができ、更に昼と夜の画像の位置合わせを容易にできるものである。
【００３１】
［実施の形態に係る地球儀の外観：図１］
図１は、本考案の実施の形態に係る地球儀の外観図である。
図１に示すように、本考案の実施の形態に係る地球儀（本地球儀）は、中空の球体である地球儀本体（本体）１０と、本体１０を支持する台座１１及び支持部１２と、緯度表示等が記載されているフレーム１３とを備えている。
更に、後述するライト等の発光体に電源を供給する電源コード１７と、発光体のオン／オフを切り替えるスイッチ１８が設けられている。
【００３２】
本体１０は、後述するように、内部に設けられた発光体の光を透過する部材から成る球体殻の表面に、地球の衛星写真に基づいて加工された地球儀画像が印刷された印刷フィルムが貼り付けられており、宇宙から見たリアルな地球を表現できる地球儀となっている。
【００３３】
［本地球儀の内部構成：図２］
次に、本地球儀の内部構成について図２を用いて説明する。図２は、本地球儀の内部構成を示す断面説明図である。
図２に示すように、本地球儀は、台座１１と支持部１２と、支持部１２に取り付けられたフレーム１３と、本体１０とを備え、更に、本体１０の内部に発光体１６が設けられている。
【００３４】
また、発光体１６を支持する構成として、本体１０の下側の極（ここでは南極）部分にはめ込まれた発光体支持部１９と、発光体１６のソケット部に接続されたスプリング（ばね）２０とを備えている。
発光体支持部１９は、支持部１２に回転可能に接続されている。
スプリング２０は、一端が支持部１２に固定され、通常は地球儀の軸の向きに直立して他端に接続された発光体１６を保持しているが、力が加えられて変形することによって発光体１６を前後左右に傾けるものであり、特に本地球儀の組み立て時及び発光体１６の交換時に機能する。これについては後述する。
【００３５】
更に、本体１０は、発光体１６の光を適度に透過する部材から成る球体殻１４と、球体殻１４の表面に貼付された印刷フィルム１５とから構成されている。
印刷フィルム１５は、２層のフィルムから成り、内側、つまり球体殻１４に接する側に貼付された第１の印刷フィルムと、第１の印刷フィルムの外側に貼付された第２の印刷フィルムとを備えている。
【００３６】
このうち、第２の印刷フィルムには、昼の地球の衛星写真に基づく地球儀画像が印刷されている。
昼の地球儀画像は、人工衛星から撮影された可視画像を合成して地球表面全体をカバーするように作成されている。衛星写真は、地球観測衛星であるＬＡＮＤＳＡＴ（ランドサット）で撮影された画像を用いており、複数の波長によって撮影されている。
【００３７】
また、実際の衛星写真には多くの雲があって、地球表面が見えにくい部分があるため、雲の画像を消去する画像処理を行っている。
更に、別の衛星が、陸地や海洋で散乱／反射された光の波長特性を測定し、その測定されたデータに基づいて実際に見える色を判別し、地球儀における表面の地域毎にその色を着色している。
また、山岳地帯の標高や海洋の深さを階調で表すよう色を加工する処理を行っている。
そして、衛星写真を元にこれらの画像処理が施された地球儀画像が、印刷フィルム１５の第２の印刷フィルムに印刷されている。
【００３８】
また、第２の印刷フィルムの内側に貼付された第１の印刷フィルムには、夜の地球を表現するための構成として、第２の印刷フィルムと位置合わせされた夜の衛星写真に基づいて、場所によって光を透過する度合いを変えた印刷が施されている。
具体的には、人口密集地域や都市部等、人工的な照明がたくさん用いられていて衛星写真で明るく写っている場所は光って見え、その他の部分は暗く見えるようにしている。
【００３９】
尚、ここでは印刷フィルム１５を２層としているが、両面印刷可能な透明フィルムを用いて、１層で形成してもよい。
この場合、球体殻１１の表面に貼付された場合に外側になる面（表面）には、昼の地球の衛星写真に基づく地球儀画像が印刷され、内側の面（裏面）には、表面と位置合わせされた裏返しの夜の衛星写真に基づいて、場所によって光を透過する度合いを変えた印刷を施す。
印刷フィルム１５の第１及び第２の印刷フィルム、又は１層で構成する場合の各印刷面については、後で詳述する。
【００４０】
発光体１６は、例えば電球型蛍光灯やＬＥＤ（Light Emitting Diode）等で構成され、光が球体殻の内面全体を照射するよう全方向に放射され、また、閉空間で使用されるため発熱が小さいものが望ましい。
また、夜の地球を表現するための光源であるため、落ち着いた明るさとなるよう適切な光度としている。更に、真っ白な光ではなく、柔らかく温かみのある色調の光としてもよい。
【００４１】
電源コード１７は、発光体１６に電源を供給するものであり、その途中に例えば回転式のスイッチ１８が設けられている。スイッチ１８によって発光体１６のオン（点灯）／オフ（消灯）を切り替えるものである。
尚、スイッチ１８は台座１１に設けてもよい。
【００４２】
［本地球儀の組み立て］
本地球儀の組み立てについて簡単に説明する。
本地球儀の組み立て時には、まず、本体１０を除く部分、つまり、台座１１、支持部１２、フレーム１３、発光体支持部１９、スプリング２０、発光体１６が、一体の構成物として組み立てられる。以上の構成を台座部と称するものとする。
台座部においては、フレーム１３の一端が支持部１２に固定され、発光体支持部１９が支持部１２に回転可能に取り付けられている。
フレーム１３の他端には、本体１０の北極部分に挿入される支持棒が取り付けられている。
【００４３】
そして、上述したように、球体殻１４に両面に印刷が施された印刷フィルム１５を貼り付けて本体１０を形成する。
本体１０の南極部分には、発光体支持部１９がはめ込まれる穴が形成されており、北極部分には、フレーム１３の他端の支持棒を差し込む穴が形成されている。
【００４４】
そして、台座部の発光体１６を含む構成部分を本体１０の中に格納する。
その際、スプリング２０を曲げて発光体１６を倒した状態で、本体１０の南極側の穴から発光体１６を含む構成部分を本体内部に挿入する。挿入後はスプリング２０が元の形状に戻って、発光体１６は直立する。
そして、発光体支持部１９を南極側の穴にはめ込み、フレームの支持棒を北極側の穴に挿入して固定する。
このようにして、本地球儀の組み立てが行われる。
【００４５】
［発光体１６の交換］
発光体１６の交換時には、上記と逆の手順で作業を行う。
まず、フレーム１３の支持棒を北極側の穴から外すと共に、発光体支持部１９を南極側の穴から外す。
その状態で本体１０を上側に動かして、本体１０と発光体支持部１９との間に隙間を形成し、本体１０を前後左右いずれかの方向に傾けることで本体１０の内壁を発光体１６に押し付けてスプリング２０を曲げ、発光体１６を倒して、当該隙間から発光体１６を含む構成部分を本体１０から取り出し、発光体１６を交換する。
このようにして、発光体１６の交換が行われるものである。
【００４６】
［消灯時の表示例：図３］
次に、本地球儀における発光体１６の消灯時の表示について図３を用いて説明する。図３は、発光体１６の消灯時における表示例を示す説明図である。尚、図３では、地球儀の一部の地域について表示例を示している。
図３に示すように、発光体１６の消灯時には、印刷フィルム１５の第２の印刷フィルム（印刷フィルム１５が１層の場合には「表面」）に印刷された内容が表示されて（見えて）いる。内部の発光体１６等の構成は外側からは見えない。
【００４７】
印刷フィルム１５の第２の印刷フィルム（又は表面）には、昼の地球儀画像に重ねて、従来の一般的な地球儀と同様に、地域名、海洋名、山や川の名称、砂漠の名称、国境線、国名、主要な都市名等が記載されており、通常の学習用地球儀とほぼ同等の情報を備えている。
また、上述したように、衛星写真に基づく着色によって、砂漠や緑の多い地域を実感でき、更に、地形に応じた階調表示を行うことにより、海の深さや山の高さを実感することができるものである。
【００４８】
更に、本地球儀の特徴として、印刷フィルム１５の第２の印刷フィルム（又は表面）には、宇宙や天文に関する施設を記載している。図３の例では、ＮＡＳＡ（National Aeronautics and Space Administration:米航空宇宙局）や、キットピーク国立天文台等が記載されており、宇宙や天文に対する興味を持たせることができるものである。
また、衛星写真を用いているので、国毎に色分けされた通常の学習用地球儀に比べてインテリアとしても利用できるものである。
【００４９】
［点灯時の表示］
次に、本地球儀における発光体１６の点灯時の表示（見え方）について説明する。
発光体１６を点灯すると、全体は黒っぽく見えるが、人工的な光が集中している都市部は、高い透過率で明るく表示されている。
印刷フィルム１５の第２の印刷フィルム（又は表面）に記載された名称等は表示されない。
これにより、暗いところで見ると真っ暗な夜の地球において地表の一部のみが光って見え、美しいインテリアとしても利用できるものである。
【００５０】
［第１の印刷フィルム（又は印刷フィルムの裏面）の構成］
夜の地球を表現するための印刷フィルム１５の第１の印刷フィルム（印刷フィルム１５が１層の場合には「裏面」）の構成について説明する。
［光の透過率を２段階とした場合の構成］
まず、印刷フィルム１５を２層とした場合の第１の印刷フィルムについて説明する。
印刷フィルム１５の第１の印刷フィルムは、本地球儀の特徴部分となっており、印刷フィルム１５の第２の印刷フィルムの地形と重なるよう、夜の衛星写真一致するように印刷が施されている。
そして、夜の衛星写真において明るく見える部分と暗く見える部分とで、発光体１６からの光の透過率を変えるよう、印刷が施されている。
【００５１】
つまり、夜の衛星写真において明るく見える部分には、光を透過する透光部とし、その他の部分は、光を通さない遮光部としている。
具体的には、印刷フィルム１５の第１の印刷フィルムは、遮光性の塗料（インク）を用いて印刷を行い、遮光部となる部分のみに塗料が付着し、透光部には塗料が付着しないようにしている。
このような構成の場合、発光体１６の点灯時には、第２の印刷フィルムに記載されている地形や文字はほとんど表示されず、都市部のみが光って表示されるものである。
【００５２】
印刷フィルム１５の第１の印刷フィルムにおいて、大都市等の光集中部の面積が広い部分には大きい透光部を設け、あまり面積が大きくないところには小さい透光部を設けて、透光部の形状や大きさを変えて光の集中の度合いを示すことが可能である。
更に、透光部を同一の大きさ及び形状を備えたドットとして形成し、ドットの数や密度を変えて表現してもよい。
このように、透光部と遮光部の２段階とした場合には、印刷フィルム１５の第１の印刷フィルムの製造が容易であり、低コストで昼と夜の地球を表現する地球儀を実現できるものである。
【００５３】
また、別の例として、都市部以外の部分における遮光の程度を変えて、完全遮光ではなく透過率を低減した半透光部とすることも可能である。印刷には、半透光性のインクを用いる。
この場合、都市部は明るく、それ以外は薄暗く表示される。都市部以外の地域は、半透光性となっているので、第２の印刷フィルムに記載されている地形や文字が薄く表示され、陸地のどの部分に光が集中しているのかを把握することができるものである。
【００５４】
次に、印刷フィルム１５を１層とした場合の裏面の構成について説明する。
印刷フィルム１５の裏面は、印刷フィルム１５の表面の地形と重なるように、夜の衛星写真を裏返しにした状態と一致するように透光部及び遮光部の印刷が施されている。
つまり、印刷フィルム１５が１層の場合の裏面には、印刷フィルム１５を２層とした場合の第１の印刷フィルムの画像を裏返した画像が印刷されるものである。
【００５５】
［光の透過率を３段階とした場合の構成：図４］
更に別の例として、光の透過率を３段階とした場合について図４を用いて説明する。図４は、光の透過率を３段階とした場合の印刷フィルム１５の裏面の構成例を示す説明図である。
ここでは、印刷フィルム１５を１層とした場合の裏面の構成について説明するが、印刷フィルム１５を２層とした場合、第１の印刷フィルムの構成は、第２の印刷フィルムの地形と重なるように印刷されるため、図４を裏返した画像となるものである。
【００５６】
図４の例では、印刷フィルム１５を１層とした場合の裏面における北米大陸の一部が示されているが、左右逆転した状態となっており、フロリダ半島が左側に、カリフォルニア半島が右側になっている。これは、印刷フィルム１５の表面に記載された地形と重なるように位置合わせされた夜の衛星写真（夜の地球儀画像）を裏返しにした画像に基づいて作製されている。
上述したように、印刷フィルム１５を２層とした場合には、裏返しではない夜の衛星写真に基づく画像（図４を裏から見た図）が印刷される。
【００５７】
そして、図４では、海洋部分や湖には光をほとんど通さない遮光性の高い塗料（インク）が印刷された遮光部２１が形成され、陸地部分には、光を少し透過する半透光性（半遮光性）の塗料が印刷された半透光部２２が形成されている。
これにより、発光部１６を点灯した場合に、海洋部分はほぼ真っ黒に表示され、陸地部分は薄暗く表示されて、暗い海の中に陸地がぼんやり浮かんでいるような表示が実現されるものである。
【００５８】
そして、夜の衛星写真において光が集中している部分には、光をよく通す透光部２３が設けられている。透光部２３は、夜の衛星写真に基づいて、各光集中部の状態をできるだけ忠実に再現するよう、その形状や大きさ、数が設定されている。
これにより、表から見たときに東海岸及び西海岸を中心に光を通す明るい部分ができ、多くの人が集まっていて経済活動が盛んな地域であることを表現できるものである。
【００５９】
尚、遮光部２１、半透光部２２及び透光部２３をどの程度の遮光率、透光率とするかは、目的とするデザインに応じて適宜設定される。
また、使用する球体殻１４や印刷フィルム１５の材質に応じて、最も忠実に且つ美しく夜の地球を表現できるよう、塗料の種類や、透光部２３の大きさ、形状、数が決められ、印刷フィルム１５の裏面が形成されるものである。
【００６０】
更に、海洋部分についても、印刷フィルム１５の表面（又は第２の印刷フィルム）に海洋の名称等の文字が記載された部分に、半透光部２２又は透光部２３を設けることにより、夜の地球儀の表示であっても海洋部分に名称等が表示されるように構成することは可能である。半透光部２２又は透光部２３の形状は、文字全体を含む矩形等の形状、又は、表面の文字と重なるよう、裏返しの白抜き文字状の形状とすることが考えられる。
【００６１】
［光の透過率を３段階とした場合の点灯時の表示例：図５］
発光体１６からの光の透過率を３段階とした場合の表示例について図５を用いて説明する。図５は、光の透過率を３段階とした場合の点灯時の表示例を示す説明図である。尚、図５では、図４に示した地域に対応する部分の表示例を示している。
図５に示すように、発光体１６の点灯時には、夜の衛星写真画像に基づいた、宇宙から見た夜の地球の様子が表示される。
【００６２】
発光体１６を点灯すると、発光体１６の光が球体殻１１の内部で散乱／反射されて、全体的に薄明るく落ち着いた色調で光るが、海洋部分は発光体１６の光をあまり透過せずに黒っぽく表示され、陸地部分は光を少し透過して陸地の形状が分かるように薄暗く表示され、人工的な光が集中している都市部は高い透過率で明るく表示されている。図５の表示例は、夜の地球の様子というより、夜明け前又は日没後の様子に近いものかもしれない。
また、図５では省略しているが、発光体１６を点灯した場合には、陸地部分については発光体１６の光が少し透過されるので、印刷フィルム１５の表面（又は第２の印刷フィルム）に記載された山や川の名称等が表示されるものである。
【００６３】
図５の例では、アメリカ東部や西海岸の一部はとても明るく、中西部の砂漠や山岳地帯は暗く表示されている。
これにより、人口密集地域や経済活動が盛んな地域がどこであるかを認識でき、また、多くの人が生活していることや、地球上のごく限られた地域のみに人が集中していることなどが実感できるものである。
特に、夜の地球は暗いところで見ると美しく、インテリアとしても優れている。
このような夜の地球の表示は、図４に示した印刷フィルム１５の裏面（又は第１の印刷フィルム）に施された印刷によって実現される。
【００６４】
［実施の形態の効果］
本考案の実施の形態に係る地球儀によれば、光を透過する素材で形成された球体殻１１の内部に発光体１６を備えると共に、球体殻１１に貼付された第１の印刷フィルムと、昼の地球の衛星写真に基づく地球儀画像が印刷され、第１の印刷フィルムに貼付された第２の印刷フィルムとを備え、第１の印刷フィルムには、第２の印刷フィルムの画像と位置合わせされた夜の地球の衛星写真に基づいて、夜間に宇宙から明るく見える部分には透光部２３を設け、他の部分には光を通さない遮光部２１を設けているので、発光体１６がオフの場合には、宇宙から見た昼の地球が表示され、発光体１６がオンの場合には、真っ暗な地球上で都市部のみが明るく光って表示している様子を表現でき、発光体１６のオン／オフによって、宇宙から見た昼と夜の２種類の異なるリアルな地球を表示させ、また、インテリアとしても利用することができる効果がある。
【００６５】
また、本考案の実施の形態に係る地球儀によれば、光を透過する素材で形成された球体殻１１の内部に発光体１６を備えると共に、球体殻１１に貼付された第１の印刷フィルムと、昼の地球の衛星写真に基づく地球儀画像が印刷され、第１の印刷フィルムに貼付された第２の印刷フィルムとを備え、第１の印刷フィルムには、第２の印刷フィルムの画像と位置合わせされた夜の地球の衛星写真に基づいて、海洋部分には遮光部２１、陸地部分には半透光部２２、夜間に宇宙から明るく見える部分には透光部２３を設けているので、発光体１６がオフの場合には、宇宙から見た昼の地球が表示され、発光体１６がオンの場合には、暗い海洋に陸地が薄く浮かび、更に都市部を明るく光って表示させることができ、発光体１６のオン／オフによって、宇宙から見た昼と夜の２種類の異なるリアルな地球を表示させることができ、また、インテリアとしても利用することができる効果がある。
【００６６】
また、本考案の実施の形態に係る地球儀によれば、印刷フィルム１５を両面印刷とし、印刷フィルム１５の表面には昼の地球の衛星写真に基づく地球儀画像が印刷され、裏面には、表面の画像と位置合わせされた裏返しの夜の地球の衛星写真に基づいて、夜間に宇宙から明るく見える部分には透光部２３を設け、他の部分には光を通さない遮光部２１を設けているので、発光体１６のオン／オフによって、宇宙から見た昼と夜の２種類の異なるリアルな地球を表示させ、また、インテリアとしても利用することができる効果がある。
【００６７】
更に、本考案の実施の形態に係る地球儀によれば、印刷フィルム１５を両面印刷とし、印刷フィルム１５の表面には昼の地球の衛星写真に基づく地球儀画像が印刷され、裏面には、表面の画像と位置合わせされた裏返しの夜の地球の衛星写真に基づいて、海洋部分には遮光部２１、陸地部分には半透光部２２、夜間に宇宙から明るく見える部分には透光部２３を設けているので、発光体１６がオンの場合には、暗い海洋に陸地が薄く浮かび、更に都市部を明るく光って表示させることができ、発光体１６のオン／オフによって、宇宙から見た昼と夜の２種類の異なるリアルな地球を表示させることができ、また、インテリアとしても利用することができる効果がある。
【００６８】
また、本考案の実施の形態に係る地球儀によれば、印刷フィルム１５の第２の印刷フィルム（又は表面）には、国境線や国名、山や川の名称等に加えて、天文台や研究所等の宇宙や天文に関する施設を記載しているので、通常の学習用地球儀に比べて宇宙や天文に対する興味を持たせることができる効果がある。
【産業上の利用可能性】
【００６９】
本考案は、宇宙から見た昼の地球と夜の地球とを発光体のオン／オフによって切り替えて表示することができ、昼と夜の２種類の異なる地球の表情が楽しめ、インテリアとしても利用できる地球儀に適している。
【符号の説明】
【００７０】
１０...地球儀本体、  １１...台座、  １２...支持部、  １３...フレーム、  １４...球体殻、  １５...印刷フィルム、  １６...発光体、  １７...電源コード、  １８...スイッチ、  １９...発光体支持部、  ２０...スプリング、  ２１...遮光部、  ２２...半透光部、  ２３...透光部
【図１】
0003186463.tif 000003
【図２】
0003186463.tif 000004
【図３】
0003186463.tif 000005
【図４】
0003186463.tif 000006
【図５】
0003186463.tif 000007